(57)【要約】【課題】延長管の内部を流れる吸引風によって発生した騒音を効率よく消音することができ、電気掃除機の静音性能を向上させることができる電気掃除機の提供。【解決手段】被清掃面の塵埃を吸引する吸引風を発生させる電動送風機を内蔵する掃除機本体と、電動送風機によって発生された吸引風が掃除機本体に至るまでの吸引風路に配置された延長管と、を備え、延長管は、内部に吸引風路の一部を構成する吸気流路を有するとともに、少なくとも１つの開口部を有する筒体と、筒体に取り付けられており、開口部を覆う外蓋と、開口部と外蓋との間に配置された吸音部材と、から構成されており、吸音部材は、外蓋側の密度が開口部側の密度よりも高くなるように形成されている電気掃除機。【選択図】図４
2013034592.tif 000002
【特許請求の範囲】
【請求項１】
被清掃面の塵埃を吸引する吸引風を発生させる電動送風機を内蔵する掃除機本体と、前記電動送風機によって発生された吸引風が前記掃除機本体に至るまでの吸引風路に配置された延長管と、を備え、前記延長管は、内部に前記吸引風路の一部を構成する吸気流路を有するとともに、少なくとも１つの開口部を有する筒体と、前記筒体に取り付けられており、前記開口部を覆う外蓋と、前記開口部と前記外蓋との間に配置された吸音部材と、を有しており、前記吸音部材は、前記外蓋側の密度が前記開口部側の密度よりも高くなるように形成されている電気掃除機。
【請求項２】
前記吸音部材は、複数の吸音材によって形成されている請求項１に記載の電気掃除機。
【請求項３】
前記複数の吸音材間には隙間が形成されている請求項２に記載の電気掃除機。
【請求項４】
前記吸音部材は、前記筒体の下部に配置されている請求項１〜３のうちの何れか１項に記載の電気掃除機。
【請求項５】
前記外蓋の前記開口部に対向する位置には、前記外蓋の内面から前記筒体側に向かって伸びるリブが設けられており、前記吸音部材は、前記外蓋、前記リブ、及び前記開口部によって形成される空間の内部に配置されている請求項１〜４のうちの何れか１項に記載の電気掃除機。
【発明の詳細な説明】
【技術分野】
【０００１】
本発明は、延長管を有する電気掃除機に関する。
【背景技術】
【０００２】
従来、この種の電気掃除機においては、電気掃除機の静音性能を向上させるべく、延長管に吸音材を配置した構成が提案されている（例えば、特許文献１参照）。
【０００３】
すなわち、図９に示すように、従来の電気掃除機（図示せず）の延長管２００は、天面に長手方向に沿って開口部２０１をもつ筒体２０２と、開口部２０１に外側から嵌まり込み溶着され底面に無数の吸音孔２０３を持つ内蓋２０４と、内蓋２０４の上端に溶着されるとともに内蓋２０４の外側で筒体２０２のリブ（図示せず）に当接して溶着される外蓋２０５と、内蓋２０４と外蓋２０５との間に挟まれた吸音材２０６とから構成されている。
【先行技術文献】
【特許文献】
【０００４】
【特許文献１】特開平２−３０７４１８号公報
【発明の概要】
【発明が解決しようとする課題】
【０００５】
しかしながら、上記従来の電気掃除機の延長管においては、延長管内を流れる空気によって発生した騒音を効果的に消音し、電気掃除機の静音性能を向上させるという観点からは未だ改善の余地があった。
【０００６】
すなわち、上記従来の電気掃除機の延長管においては、単一の密度で形成された吸音材を延長管に配置した構成であるため、延長管内を流れる空気によって発生した騒音を効率よく吸音材内に拡散させることができない場合があった。そのため、延長管内を流れる空気によって発生した騒音を効率よく吸音材で消音することができず、電気掃除機の騒音を低減させることができない場合があった。
【０００７】
本発明は、上記従来技術の有する課題に鑑みてなされたものであり、延長管の内部を流れる吸引風によって発生した騒音を効率よく消音することができ、電気掃除機の静音性能を向上させることができる電気掃除機を提供することを目的とする。
【課題を解決するための手段】
【０００８】
上記従来技術の有する課題を解決するために、本発明は、被清掃面の塵埃を吸引する吸引風を発生させる電動送風機を内蔵する掃除機本体と、電動送風機によって発生された吸引風が掃除機本体に至るまでの吸引風路に配置された延長管と、を備え、延長管は、内部に吸引風路の一部を構成する吸気流路を有するとともに、少なくとも１つの開口部を有する筒体と、筒体に取り付けられており、開口部を覆う外蓋と、開口部と外蓋との間に配置された吸音部材と、を有しており、吸音部材は、外蓋側の密度が開口部側の密度よりも高くなるように形成されている電気掃除機を提供する。
【０００９】
これにより、吸音部材は、外蓋側の密度が開口部側の密度よりも高くなるように形成されているため、筒体の内部に形成された吸気通路を流れる吸引風によって発生した騒音を開口部から吸音部材の内部に効率よく拡散させることができ、筒体の内部を流れる吸引風によって発生した騒音を吸音部材で効率よく消音することができるとともに、電気掃除機
の静音性能を向上させることができる。
【発明の効果】
【００１０】
本発明の電気掃除機によれば、筒体の内部に形成された吸気通路を流れる吸引風によって発生した騒音を開口部から吸音部材の内部に効率よく拡散させることができ、筒体の内部を流れる吸引風によって発生した騒音を吸音部材で効率よく消音することができるとともに、電気掃除機の静音性能を向上させることができるようになる。
【図面の簡単な説明】
【００１１】
【図１】本発明の電気掃除機の実施の形態１を示す全体斜視図
【図２】本発明の電気掃除機の実施の形態１における掃除機本体の全体断面図
【図３】（ａ）本発明の電気掃除機の実施の形態１における第１の管体の内部に第２の管体が収納された状態を示す延長管の全体斜視図、（ｂ）本発明の電気掃除機の実施の形態１における第１の管体と第２の管体とが伸びた状態を示す延長管の全体斜視図
【図４】図３（ｂ）に示した延長管の長手方向の中心部での全体断面図
【図５】本発明の電気掃除機の実施の形態１における第１の管体の斜視分解図
【図６】本発明の電気掃除機の実施の形態１における第２の管体を上方（図３に記載の矢印Ｘ方向）からみた場合の第２の管体の分解斜視図
【図７】本発明の電気掃除機の実施の形態１における第２の管体を上方（図３に記載の矢印Ｙ方向）からみた場合の第２の管体の分解斜視図
【図８】本発明の電気掃除機の実施の形態２における延長管の長手方向の中心部での全体断面図
【図９】従来の電気掃除機の延長管を示す斜視分解図
【発明を実施するための形態】
【００１２】
第１の発明は、被清掃面の塵埃を吸引する吸引風を発生させる電動送風機を内蔵する掃除機本体と、電動送風機によって発生された吸引風が掃除機本体に至るまでの吸引風路に配置された延長管と、を備え、延長管は、内部に吸引風路の一部を構成する吸気流路を有するとともに、少なくとも１つの開口部を有する筒体と、筒体に取り付けられており、開口部を覆う外蓋と、開口部と外蓋との間に配置された吸音部材と、を有しており、吸音部材は、外蓋側の密度が開口部側の密度よりも高くなるように形成されている電気掃除機としたものである。
【００１３】
これにより、吸音部材は、外蓋側の密度が開口部側の密度よりも高くなるように形成されているため、筒体の内部に形成された吸気通路を流れる吸引風によって発生した騒音を開口部から吸音部材の内部に効率よく拡散させることができ、筒体の内部を流れる吸引風によって発生した騒音を吸音部材で効率よく消音することができるとともに、電気掃除機の静音性能を向上させることができる。
【００１４】
第２の発明は、特に、第１の発明において、吸音部材は、複数の吸音材によって形成されている構成としたものである。
【００１５】
これにより、吸音部材の外蓋側の密度が開口部側の密度よりも高くなるように吸音部材を容易に形成することができるとともに、筒体の形状や開口部の形状などにあせて吸音部材を形成することができるため、筒体の内部に形成された吸気通路を流れる吸引風によって発生した騒音を開口部から吸音部材の内部に効率よく拡散させることができ、筒体の内部を流れる吸引風によって発生した騒音を吸音部材で効率よく消音することができるとともに、電気掃除機の静音性能を向上させることができる。
【００１６】
第３の発明は、特に、第２の発明において、複数の吸音材間には隙間が形成されている
構成としたものである。
【００１７】
これにより、筒体の内部に形成された吸気通路を流れる吸引風によって発生した騒音は、吸音材の内部に拡散されたあと、複数の吸音材間に形成された隙間、すなわち、空気層内に拡散され、再び吸音材内に拡散されるため、筒体の内部に形成された吸気通路を流れる吸引風によって発生した騒音を吸音材で効率よく消音することができるとともに、複数の吸音材間に形成した隙間により騒音を減衰させることができる。そのため、筒体の内部に形成された吸気通路を流れる吸引風によって発生した騒音を吸音部材で効率よく消音することができるとともに、電気掃除機の静音性能を向上させることができる。
【００１８】
第４の発明は、特に、第１〜第３の発明において、吸音部材は、筒体の下部に配置されている構成としたものである。
【００１９】
これにより、吸音部材の消音性能を維持することができるとともに、筒体の内部に形成された吸気通路を流れる吸引風によって発生した騒音を吸音部材で効率よく消音することができ、電気掃除機の静音性能を向上させることができる。
【００２０】
第５の発明は、特に、第１〜第４の発明において、外蓋の開口部に対向する位置には、外蓋の内面から筒体側に向かって伸びるリブが設けられており、吸音部材は、外蓋、リブ、及び、開口部によって形成される空間の内部に配置されているものである。
【００２１】
これにより、外蓋、リブ、及び、開口部によって形成される空間の内部に吸音部材を配置することで、掃除動作中に開口部に対向する位置から吸音部材が外れることがなく、開口部と外蓋との間に吸音部材を確実に保持させることができる。そのため、筒体の内部に形成された吸気通路を流れる吸引風によって発生した騒音を開口部から吸音部材の内部に効率よく確実に拡散させることができ、筒体の内部を流れる吸引風によって発生した騒音を吸音部材で効率よく消音することができるとともに、電気掃除機の静音性能を向上させることができる。
【００２２】
以下、図面を参照しながら本発明の電気掃除機の好適な実施形態について詳細に説明する。なお、以下の説明では、同一または相当部分には同一符号付し、重複する説明は省略する。
【００２３】
（実施の形態１）
本発明の電気掃除機の実施の形態１について、図１〜図７を用いて説明する。
【００２４】
図１は、本発明の電気掃除機の実施の形態１を示す全体斜視図である。また、図２は、本発明の電気掃除機の実施の形態１における掃除機本体の全体断面図である。さらに、図３（ａ）は、本発明の電気掃除機の実施の形態１における第１の管体の内部に第２の管体が収納された状態を示す延長管の全体斜視図、図３（ｂ）は、本発明の電気掃除機の実施の形態１における第１の管体と第２の管体との伸長状態を示す延長管の全体斜視図である。また、図４は、図３（ｂ）に示した延長管の長手方向の中心部での全体断面図である。さらに、図５は、本発明の電気掃除機の実施の形態１における第１の管体の斜視分解図である。また、図６は、本発明の電気掃除機の実施の形態１における第２の管体を上方（図３に記載の矢印Ｘ方向）からみた場合の第２の管体の分解斜視図である。さらに、図７は、本発明の電気掃除機の実施の形態１における第２の管体を上方（図３に記載の矢印Ｙ方向）からみた場合の第２の管体の分解斜視図である。
【００２５】
図１に示すように、電気掃除機１００は、吸引風を発生させる電動送風機（図示せず）を内蔵する掃除機本体１と、掃除機本体１に着脱自在に接続される集塵装置２と、被清掃
面の塵埃を吸引する吸込具３と、一端が掃除機本体１の前部に設けられた吸入口１ａに着脱自在に接続されるホース４と、一端がホース４の他端に着脱自在に接続され、他端が吸込具３に着脱自在に接続される伸縮自在或いは継ぎ自在の延長管５と、から構成されている。
【００２６】
吸込具３には、被清掃面の塵埃を掻きあげる回転ブラシ（図示せず）と、回転ブラシ（図示せず）を回転駆動する電動機（図示せず）と、が内蔵されている。また、ホース４の延長管５側の端部には、掃除の際に使用者が保持する把手部６を備えた先端パイプ７が設けられており、この先端パイプ７を介してホース４と延長管５とが着脱自在に接続されている。さらに、ホース４の掃除機本体１側の端部には、接続パイプ８が設けられており、この接続パイプ８を介して掃除機本体１の吸入口１ａとホース４とが着脱自在に接続されている。
【００２７】
図１及び図２に示すように、掃除機本体１の後部には、吸引風を発生させる電動送風機９を収納する電動送風機室１０が配置されている。また、掃除機本体１の前部には、電動送風機９で発生された吸引風によって吸引された塵埃を分離及び捕集する集塵装置２が着脱自在に取り付けられる集塵装置取付部１１が配置されている。さらに、掃除機本体１の後方の両側部には、１対の走行用の車輪１２が配置されており、この車輪１２は、掃除機本体１に回動自在に取り付けられている。また、掃除機本体１の底面の前方には、走行用のキャスター１３が回動自在に配置されている。さらに、掃除機本体１の上部には、使用者が掃除機本体１を持ち運ぶ際に保持する本体ハンドル１４が設けられている。
【００２８】
図２に示すように、集塵装置２は、両端に開口（図示せず）を有する略円筒状の集塵装置本体１５と、集塵装置本体１５の内部に集塵装置本体１５と同心状に配置された一次フィルター１６と、一次フィルター１６の下端に取り付けられた傘状の延出部１７と、一次フィルター１６の上方に配置された二次フィルター１８と、集塵装置本体１５の上端の開口（図示せず）及び二次フィルター１８の上面を覆う上蓋体１９と、集塵装置本体１５に回動自在に軸支されており、集塵装置本体１５の下端の開口（図示せず）を開閉自在に覆う下蓋体２０と、上蓋体１９に回動自在に軸支された集塵装置ハンドル２１と、から構成されている。また、二次フィルター１８と上蓋体１９との間には、二次フィルター１８に付着した塵埃を除塵する除塵手段２２が配置されている。さらに、上蓋体１９の内部には、除塵手段２２を駆動する駆動手段２３が内蔵されている。
【００２９】
図３及び図４に示すように、延長管５は、一端がホース４の先端パイプ７に着脱自在に接続される第１の管体２４と、一端が第１の管体２４の他端に摺動自在に接続され、他端が吸込具３に着脱自在に接続される第２の管体２５と、から構成されている。
【００３０】
図３〜図５に示すように、第１の管体２４は、一端がホース４の先端パイプ７に着脱自在に接続され、他端に第２の管体２５が摺動自在に挿入されるとともに、内部に電動送風機９で発生された吸引風が流れる第１の吸気流路２６を有する第１の筒体２７と、第１の筒体２７の上部に取り付けられる上部カバー体２８と、第１の筒体２７の下部に取り付けられる下部カバー体２９と、から構成されている。また、上部カバー体２８及び下部カバー体２９は、その長手方向の長さが第１の筒体２７の長手方向の長さと略同一の長さとなるように形成されている。
【００３１】
第１の筒体２７の第２の管体２５側の端部の上部には、第１の管体２４と第２の管体２５との摺動動作を解除及び規制する摺動操作部３０が設けられている。また、第１の筒体２７の第２の管体２５側の端部の下部には、摺動操作部３０の動作に連動して動作する係合突起部３０ａが設けられている。
【００３２】
ここで、本実施の形態において、第１の筒体２７の上部とは、第１の筒体２７の径方向における上部であり、図３〜図７に示す矢印Ｘ側である。また第１の筒体２７の下部とは、第１の筒体２７の径方向における下部であり、図３〜図７に示す矢印Ｙ側である。
【００３３】
上部カバー体２８は、第１の筒体２７の上面を覆う第１のカバー体２８ａと、摺動操作部３０の上面を覆う第２のカバー体２８ｂと、から構成されている。第２のカバー体２８ｂには、第１の筒体２７に第２のカバー体２８ｂが取り付けられた状態において、摺動操作部３０を第１の管体２４の上面に突出させるための貫通孔部２８ｃが設けられている。また、第１のカバー体２８ａ、第２のカバー体２８ｂ、及び、下部カバー体２９には、第１の筒体２７に設けられた複数の嵌合凹部（図示せず）と嵌合する嵌合爪部（図示せず）が設けられており、第１のカバー体２８ａ、第２のカバー体２８ｂ、及び、下部カバー体２９に設けられた嵌合爪部（図示せず）と第１の筒体２７に設けられた嵌合凹部（図示せず）とが嵌合することで、第１のカバー体２８ａ、第２のカバー体２８ｂ、及び、下部カバー体２９が第１の筒体２７に取り付けられる。
【００３４】
第１のカバー体２８ａと第１の筒体２７とは、第１のカバー体２８ａと第１の筒体２７との間に空間部３１が形成されるように取り付けられている。また、摺動操作部３０の下方、すなわち、摺動操作部３０と第１の筒体２７との間には、後述する第２の管体２５に設けられた摺動支持部３７が挿入される挿入口３２が設けられており、この挿入口３２から挿入された後述する摺動支持部３７は、第１の筒体２７と第１のカバー体２８ａとの間に形成された空間部３１内に摺動自在に収納される。さらに、空間部３１及び後述する摺動支持部３７の内部には、掃除機本体１に供給された商用電源（図示せず）を、ホース４及び延長管５を介して、吸込具３に供給する導線（図示せず）が配置される。
【００３５】
図３、図４、図６、及び図７に示すように、第２の管体２５は、一端が第１の管体２４の第１の筒体２７の内部に摺動自在に挿入され、他端に吸込具３が着脱自在に接続されるとともに、内部に第１の吸気流路２６と連通する第２の吸気流路３３を有する第２の筒体３４と、第２の筒体３４の下部に取り付けられた外蓋３５と、から構成されている。
【００３６】
第２の筒体３４の吸込具３側の端部の上部には、第２の管体２５と吸込具３とを着脱させる着脱操作部３６が設けられている。また、第２の筒体３４の吸込具３側の端部の上部には、着脱操作部３６の後方、すなわち、着脱操作部３６の第１の管体２４側の端部から第１の管体２４側に向かって延設された摺動支持部３７が設けられている。この摺動支持部３７は、第２の筒体３４の着脱操作部３６の後方から第２の筒体３４の第１の管体２４側の端部までの長さと略同一の長さとなるように形成されている。そして、第２の管体２５は、第２の筒体３４の第１の管体２４側の端部が第１の筒体２７内に摺動自在に挿入されるとともに、摺動支持部３７の第１の管体２４側の端部が第１の管体２４の挿入口３２を介して空間部３１内に摺動自在に挿入されることで、第１の管体２４に対して摺動自在に接続される。また、摺動支持部３７の内部には空洞部３８が形成されており、この空洞部３８の内部には、掃除機本体１に供給された商用電源（図示せず）をホース４及び延長管５を介して吸込具３に供給する導線（図示せず）が配置される。
【００３７】
ここで、本実施の形態において、第２の筒体３４の上部とは、第２の筒体３４の径方向における上部であり、図３〜図７に示す矢印Ｘ側である。また第２の筒体３４の下部とは、第２の筒体３４の径方向における下部であり、図３〜図７に示す矢印Ｙ側である。
【００３８】
第２の筒体３４の下部には、第２の筒体３４の内部に形成された第２の吸気流路３３と連通する開口部３９が第２の筒体３４の長手方向に沿って形成されており、外蓋３５は、この開口部３９を覆うように、第２の筒体３４の下部に取り付けられている。また、開口部３９には、開口部３９を覆うとともに第２の吸気流路３３と連通する複数の連通口４０
を有する内蓋４１が配置されている。さらに、開口部３９と外蓋３５との間、すなわち、内蓋４１と外蓋３５との間には、電動送風機９で発生された吸引風が第２の吸気流路３３内を流れる際に発生する騒音を吸収する吸音部材４２が配置されている。
【００３９】
外蓋３５の外面、すなわち、外蓋３５の図３〜図７に示す矢印Ｙ側の面には、第１の管体２４の第２の管体２５側の端部の下部に設けられた係合突起部３０ａと係合する係合凹部３５ａが外蓋３５の長手方向に沿って等間隔に複数設けられている。第１の管体２４と第２の管体２５とは、第１の筒体２７の係合突起部３０ａと第２の筒体３４の係合凹部３５ａとが係合されることで、第１の管体２４と第２の管体２５との摺動が規制されるとともに、使用者が摺動操作部３０を操作して第１の筒体２７の係合突起部３０ａと第２の筒体３４の係合凹部３５ａとを係合を解除することで、第１の管体２４と第２の管体２５とを摺動させることができるように構成されている。また、第１の管体２４及び第２の管体２５は、使用者が摺動操作部３０を操作し、係合突起部３０ａと係合凹部３５ａとの係合を解除するとともに、第２の管体２５の外蓋３５に設けられた複数の係合凹部３５ａのうちの何れかの係合凹部３５ａと係合突起部３０ａとを係合させることとで、第１の管体２４から進出する第２の管体２５の長さを調節することができ、延長管５の長さを任意の長さとすることができるように構成されている。
【００４０】
外蓋３５の内面、すなわち、外蓋３５の図３〜図７に示す矢印Ｘ側の面には、外蓋３５の内面から内蓋４１側に向かって伸びるリブ４３形成されている。このリブ４３は、外蓋３５の開口部３９に対向する位置に開口部３９の全周を囲むように形成されているとともに、外蓋３５が第２の筒体３４に取り付けられた状態において、第２の筒体３４の下面と当接するように形成されている。また、内蓋４１は、第２の筒体３４に取り付けられた状態において、内蓋４１の内面、すなわち、内蓋４１の図３〜図７に示す矢印Ｘ側の面と第２の筒体３４の内面と同一面上となるように構成されている。
【００４１】
吸音部材４２は、外蓋３５、リブ４３、及び内蓋４１で形成される空間（図示せず）の内部に配置されており、その長手方向の長さが開口部３９の長手方向の長さと略同一の長さとなるように形成されているとともに、その短手方向の長さが開口部３９の短手方向の長さと略同一となるように形成されている。また、吸音部材４２は、外蓋３５側の密度が内蓋４１側の密度よりも高くなるように、複数の吸音材（図示せず）を重ね合わせて形成されている。
【００４２】
ここで、本実施の形態において、吸音部材４２の外蓋３５側の密度及び吸音部材４２の内蓋４１側の密度とは、吸音部材４２の厚さを１ｃｍ、吸音部材４２の面積を１ｍ２とした際に、吸音部材４２の外蓋３５側及び内蓋４１側に含まれる吸音材（図示せず）のグラム数である。
【００４３】
一般的に、掃除機本体１にホース４、延長管５、及び、吸込具３を接続した状態で、使用者が電気掃除機１００の運転が開始され、電動送風機９で吸引風が発生されると、被清掃面の塵埃が、吸込具３、延長管５、及び、ホース４によって形成された吸引風路（図示せず）を介して吸入口１ａから掃除機本体１内へと流入する。このとき、電動送風機９で発生された吸引風が吸込具３から掃除機本体１に至るまでの吸引風路（図示せず）において、延長管５の内壁、吸込具３と延長管５との接続部（図示せず）、及び、延長管５とホース４との接続部（図示せず）と吸引風との摩擦により、１ｋＨｚ以上の高周波領域を含む騒音が発生する場合があり、特に、１ｋＨｚから４ｋＨｚの高周波領域の音が使用者に不快感を与える場合がある。
【００４４】
そのため、吸引風路で発生する１ｋＨｚ以上の高周波領域を含む騒音によって使用者に不快感を与えることを十分に防止するためには、吸引風路で発生する１ｋＨｚ以上の高周
波領域を含む騒音を低減させる必要があり、特に、１ｋＨｚ以上の高周波領域を含む騒音において、１ｋＨｚから４ｋＨｚの高周波領域の音を低減する必要がある。
【００４５】
そこで、吸音部材４２としては、吸音部材４２の外蓋３５側の密度が内蓋４１の密度よりも高くなるように形成されていればよいが、１ｋＨｚ以上の高周波領域の音を低減するという観点からは、吸音部材４２の外蓋３５側の密度をＤ１、内蓋４１側の密度をＤ２とした場合に、吸音部材４２の外蓋３５側の密度Ｄ１及び吸音部材４２の内蓋４１側の密度Ｄ２が条件（１）及び条件（２）を満たすことが好ましい。
【００４６】
条件（１）  ２００≦Ｄ１≦８００
条件（２）  ０．１×Ｄ１≦Ｄ２≦０．９×Ｄ１
以下、吸音部材４２の外蓋３５側の密度Ｄ１と吸音部材４２の内蓋４１側の密度Ｄ２との関係について、実験により導き出した結果について表１を用いて説明する。
【００４７】
実験に用いた延長管５はＡＢＳ樹脂で形成した。また、第２の筒体３４内に形成された第２の吸気流路３３の径方向の断面積を９００ｍｍ２、第２の筒体３４の長手方向の長さを４４０ｍｍ、及び、第２の筒体３４の内部を流れる吸引風の流量を２．５ｍ３／ｍｉｎとした。また、内蓋４１には、直径が２．２ｍｍの連通口４０を３８２個形成した。
【００４８】
判定は、開口部３９及び吸音部材４２を有さない第２の筒体３４の内部に流量を２．５ｍ３／ｍｉｎとして空気を流したときに第２の筒体３４内で発生する騒音と、吸音部材４２を設けた第２の筒体３４の内部に流量を２．５ｍ３／ｍｉｎとして空気を流したときに第２の筒体３４内で発生する騒音と、を比較した際に、吸音部材４２により１ｋＨｚ以上の高周波領域の音を３０％以上低減でき、製品として十分に使用可能な場合は○、吸音部材４２により１ｋＨｚ以上の高周波領域の音を１０％以上３０％未満低減でき、製品として使用可能な場合は△、吸音部材４２により１ｋＨｚ以上の高周波領域の音を１０％未満しか低減できず、製品として使用できない場合には×として行った。
【００４９】
【表１】
2013034592.tif 000003
【００５０】
表１に示すように、吸音部材４２の外蓋３５側の密度Ｄ１を１００ｇとし、吸音部材４２の内蓋４１側の密度Ｄ２を吸音部材４２の外蓋３５側の密度Ｄ１の０．１倍から１．１倍まで変化させた場合、吸音部材４２の内蓋４１側の密度Ｄ２の全ての密度において、１ｋＨｚ以上の高周波領域の音を十分に低減することができなかった。これは、吸音部材４２の外蓋３５側の密度Ｄ１が低すぎるため、複数の連通口４０から吸音部材４２内に侵入した騒音を吸音部材４２の外蓋３５側で消音することができなかったためと思われる。
【００５１】
また、吸音部材４２の外蓋３５側の密度Ｄ１を１０００ｇとし、吸音部材４２の内蓋４１側の密度Ｄ２を吸音部材４２の外蓋３５側の密度Ｄ１の０．１倍から０．９倍まで変化させた場合、吸音部材４２の内蓋４１側の密度Ｄ２の全ての密度において、１ｋＨｚ以上の高周波領域の音を十分に低減することができなかった。これは、吸音部材４２の外蓋３５側の密度Ｄ１が高すぎるため、吸音部材４２の内蓋４１側から吸音部材４２の外蓋３５側へと効率よく拡散させることができず、吸音部材４２の外蓋３５側で消音することができなかったためと思われる。また、吸音部材４２の外蓋３５側の密度Ｄ１を１０００ｇとし、吸音部材４２の内蓋４１側の密度Ｄ２を、吸音部材４２の外蓋３５側の密度Ｄ１の１．０倍及び１．１倍とした場合においても、１ｋＨｚ以上の高周波領域の音を十分に低減することができなかった。これは、吸音部材４２の内蓋４１側の密度Ｄ２が高すぎるため、複数の連通口４０から吸音部材４２内に侵入した騒音が吸音部材４２の内蓋４１側で遮音されてしまい、吸音部材４２の内部に効率よく拡散させできなかったためと思われる。
【００５２】
さらに、吸音部材４２の外蓋３５側の密度Ｄ１を２００ｇとし、吸音部材４２の内蓋４１側の密度Ｄ２を、吸音部材４２の外蓋３５側の密度Ｄ１の０．１倍から０．９倍まで変化させた場合、吸音部材４２の内蓋４１側の密度Ｄ２の全ての密度において、１ｋＨｚ以上の高周波領域の音を低減することができ、特に、４ｋＨｚ付近の高周波領域の音を低減することができた。しかしながら、吸音部材４２の外蓋３５側の密度Ｄ１を１０００ｇとし、吸音部材４２の内蓋４１側の密度Ｄ２を、吸音部材４２の外蓋３５側の密度Ｄ１の１．０倍及び１．１倍とした場合、１ｋＨｚ以上の高周波領域の音を十分に低減することができなかった。これは、吸音部材４２は、吸音部材４２の密度が低いほど、１ｋＨｚ以上の高周波領域のなかでも高い周波数領域の音を吸音しやすくなるとともに、吸音部材４２によって吸音できる音の周波数領域が狭くなり、吸音部材４２の密度が高いほど、１ｋＨｚ以上の高周波領域のなかでも低い周波数領域から高い周波数領域の音を幅広く吸音しやすくなるとともに、吸音部材４２によって吸音できる音の周波数領域が広くなるという特性があり、吸音部材４２の外蓋３５側の密度Ｄ１を２００ｇとし、吸音部材４２の内蓋４１側の密度Ｄ２を、吸音部材４２の外蓋３５側の密度Ｄ１の０．１倍から０．９倍まで変化させた場合においては、複数の連通口４０から吸音部材４２内に侵入した１ｋＨｚ以上の高周波領域の音を含む騒音を吸音部材４２の内蓋４１側から吸音部材４２の外蓋３５側へと効率よく拡散され、１ｋＨｚ以上の高周波領域の音のうち、４ｋＨｚよりも高い周波数領域の音が吸音部材４２の内蓋４１側で吸音されたとともに、１ｋＨｚ以上の高周波領域の音のうち、４ｋＨｚ付近の周波数領域の音が吸音部材４２の外蓋３５側で吸音されたためと思われる。また、吸音部材４２の外蓋３５側の密度Ｄ１を２００ｇとし、吸音部材４２の内蓋４１側の密度Ｄ２を、吸音部材４２の外蓋３５側の密度Ｄ１の１．０倍及び１．１倍とした場合においては、複数の連通口４０から吸音部材４２内に侵入した１ｋＨｚ以上の高周波領域の音を含む騒音のうち、４ｋＨｚ付近の周波数領域の音のみが吸音されたため、１ｋＨｚ以上の高周波領域の音を十分に低減することができなかったものと思われる。
【００５３】
また、吸音部材４２の外蓋３５側の密度Ｄ１を４００ｇとし、吸音部材４２の内蓋４１側の密度Ｄ２を、吸音部材４２の外蓋３５側の密度Ｄ１の０．１倍から０．９倍まで変化させた場合、吸音部材４２の内蓋４１側の密度Ｄ２の全ての密度において、１ｋＨｚ以上の高周波領域の音を低減することができ、特に、使用者に不快感を与えやすい１ｋＨｚから４ｋＨｚの高周波領域の音を十分に低減することができた。しかしながら、吸音部材４２の外蓋３５側の密度Ｄ１を４００ｇとし、吸音部材４２の内蓋４１側の密度Ｄ２を、吸音部材４２の外蓋３５側の密度Ｄ１の１．０倍及び１．１倍とした場合、１ｋＨｚ以上の高周波領域の音を十分に低減することができなかった。これは、上述した吸音部材４２の特性により、吸音部材４２の外蓋３５側の密度Ｄ１を４００ｇとし、吸音部材４２の内蓋４１側の密度Ｄ２を、吸音部材４２の外蓋３５側の密度Ｄ１の０．１倍から０．９倍まで
変化させた場合においては、複数の連通口４０から吸音部材４２内に侵入した１ｋＨｚ以上の高周波領域の音を含む騒音を吸音部材４２の内蓋４１側から吸音部材４２の外蓋３５側へと効率よく拡散され、１ｋＨｚ以上の高周波領域の音のうち、４ｋＨｚよりも高い周波数領域の音が吸音部材４２の内蓋４１側で吸音されたとともに、１ｋＨｚ以上の高周波領域の音のうち、使用者に不快感を与えやすい１ｋＨｚから４ｋＨｚの高周波領域の音が吸音部材４２の外蓋３５側で吸音されたためと思われる。また、吸音部材４２の外蓋３５側の密度Ｄ１を２００ｇとし、吸音部材４２の内蓋４１側の密度Ｄ２を、吸音部材４２の外蓋３５側の密度Ｄ１の１．０倍及び１．１倍とした場合においては、複数の連通口４０から吸音部材４２内に侵入した１ｋＨｚ以上の高周波領域の音を含む騒音のうち、１ｋＨｚから４ｋＨｚの高周波領域の音の周波数領域の音のみが吸音されたため、１ｋＨｚ以上の高周波領域の音を十分に低減することができなかったものと思われる。なお、吸音部材４２の外蓋３５側の密度Ｄ１を４００ｇとし、吸音部材４２の内蓋４１側の密度Ｄ２を、吸音部材４２の外蓋３５側の密度Ｄ１の０．９倍とした場合においては、吸音部材４２の外蓋３５側の密度Ｄ１と吸音部材４２の内蓋４１側の密度Ｄ２とが略同一の密度となり、吸音部材４２の外蓋３５側の密度Ｄ１と吸音部材４２の内蓋４１側の密度Ｄ２との差が少なくなるため、吸音部材４２の外蓋３５側と吸音部材４２の内蓋４１側とで吸音される音の周波数が略同一となる。そのため、吸音部材４２の外蓋３５側の密度Ｄ１を４００ｇとし、吸音部材４２の内蓋４１側の密度Ｄ２を、吸音部材４２の外蓋３５側の密度Ｄ１の０．９倍とした場合においては、吸音部材４２の外蓋３５側の密度Ｄ１の０．１倍から０．８倍とした場合に比べ、４ｋＨｚよりも高い周波数領域の音が吸音部材４２の内蓋４１側で吸音されにくくなり、１ｋＨｚ以上の高周波領域の音を十分に低減することができなかったものと思われる。
【００５４】
さらに、吸音部材４２の外蓋３５側の密度Ｄ１を６００ｇとし、吸音部材４２の内蓋４１側の密度Ｄ２を、吸音部材４２の外蓋３５側の密度Ｄ１の０．１倍から０．９倍まで変化させた場合、吸音部材４２の内蓋４１側の密度Ｄ２の全ての密度において、１ｋＨｚ以上の高周波領域の音を低減することができ、特に、使用者に不快感を与えやすい１ｋＨｚから４ｋＨｚの高周波領域の音を十分に低減することができた。しかしながら、吸音部材４２の外蓋３５側の密度Ｄ１を６００ｇとし、吸音部材４２の内蓋４１側の密度Ｄ２を、吸音部材４２の外蓋３５側の密度Ｄ１の１．０倍及び１．１倍とした場合、１ｋＨｚ以上の高周波領域の音を十分に低減することができなかった。これは、上述した吸音部材４２の特性により、吸音部材４２の外蓋３５側の密度Ｄ１を６００ｇとし、吸音部材４２の内蓋４１側の密度Ｄ２を、吸音部材４２の外蓋３５側の密度Ｄ１の０．１倍から０．９倍まで変化させた場合においては、複数の連通口４０から吸音部材４２内に侵入した１ｋＨｚ以上の高周波領域の音を含む騒音を吸音部材４２の内蓋４１側から吸音部材４２の外蓋３５側へと効率よく拡散され、１ｋＨｚ以上の高周波領域の音のうち、４ｋＨｚよりも高い周波数領域の音が吸音部材４２の内蓋４１側で吸音されたとともに、１ｋＨｚ以上の高周波領域の音のうち、使用者に不快感を与えやすい１ｋＨｚから４ｋＨｚの高周波領域の音が吸音部材４２の外蓋３５側で吸音されたためと思われる。また、吸音部材４２の外蓋３５側の密度Ｄ１を６００ｇとし、吸音部材４２の内蓋４１側の密度Ｄ２を、吸音部材４２の外蓋３５側の密度Ｄ１の１．０倍及び１．１倍とした場合においては、吸音部材４２の内蓋４１側の密度Ｄ２が高すぎるため、吸音部材４２の内蓋４１側から吸音部材４２の外蓋３５側へと効率よく拡散させることができず、複数の連通口４０から吸音部材４２内に侵入した１ｋＨｚ以上の高周波領域の音を含む騒音を吸音部材４２で消音することができなかったためと思われる。なお、吸音部材４２の外蓋３５側の密度Ｄ１を６００ｇとし、吸音部材４２の内蓋４１側の密度Ｄ２を、吸音部材４２の外蓋３５側の密度Ｄ１の０．９倍とした場合においては、吸音部材４２の外蓋３５側の密度Ｄ１の０．１倍から０．８倍とした場合に比べ、吸音部材４２の内蓋４１側の密度Ｄ２が高くなるため、複数の連通口４０から吸音部材４２内に侵入した１ｋＨｚ以上の高周波領域の音を含む騒音が吸音部材４２の内部に拡散しにくくなり、吸音部材４２で効率よく消音しにくくなったものと思わ
れる。
【００５５】
さらに、吸音部材４２の外蓋３５側の密度Ｄ１を８００ｇとし、吸音部材４２の内蓋４１側の密度Ｄ２を、吸音部材４２の外蓋３５側の密度Ｄ１の０．１倍から０．９倍まで変化させた場合、吸音部材４２の内蓋４１側の密度Ｄ２の全ての密度において、１ｋＨｚ以上の高周波領域の音を低減することができ、特に、使用者に不快感を与えやすい１ｋＨｚから４ｋＨｚの高周波領域の音を十分に低減することができた。しかしながら、吸音部材４２の外蓋３５側の密度Ｄ１を８００ｇとし、吸音部材４２の内蓋４１側の密度Ｄ２を、吸音部材４２の外蓋３５側の密度Ｄ１の１．０倍及び１．１倍とした場合、１ｋＨｚ以上の高周波領域の音を十分に低減することができなかった。これは、上述した吸音部材４２の特性により、吸音部材４２の外蓋３５側の密度Ｄ１を８００ｇとし、吸音部材４２の内蓋４１側の密度Ｄ２を、吸音部材４２の外蓋３５側の密度Ｄ１の０．１倍から０．９倍まで変化させた場合においては、複数の連通口４０から吸音部材４２内に侵入した１ｋＨｚ以上の高周波領域の音を含む騒音を吸音部材４２の内蓋４１側から吸音部材４２の外蓋３５側へと効率よく拡散され、１ｋＨｚ以上の高周波領域の音のうち、４ｋＨｚよりも高い周波数領域の音が吸音部材４２の内蓋４１側で吸音されたとともに、１ｋＨｚ以上の高周波領域の音のうち、使用者に不快感を与えやすい１ｋＨｚから４ｋＨｚの高周波領域の音が吸音部材４２の外蓋３５側で吸音されたためと思われる。また、吸音部材４２の外蓋３５側の密度Ｄ１を８００ｇとし、吸音部材４２の内蓋４１側の密度Ｄ２を、吸音部材４２の外蓋３５側の密度Ｄ１の１．０倍及び１．１倍とした場合においては、吸音部材４２の内蓋４１側の密度Ｄ２が高すぎるため、吸音部材４２の内蓋４１側から吸音部材４２の外蓋３５側へと効率よく拡散させることができず、複数の連通口４０から吸音部材４２内に侵入した１ｋＨｚ以上の高周波領域の音を含む騒音を吸音部材４２で消音することができなかったためと思われる。なお、吸音部材４２の外蓋３５側の密度Ｄ１を８００ｇとし、吸音部材４２の内蓋４１側の密度Ｄ２を、吸音部材４２の外蓋３５側の密度Ｄ１の０．７倍から０．９倍とした場合においては、吸音部材４２の外蓋３５側の密度Ｄ１の０．１倍から０．６倍とした場合に比べ、吸音部材４２の内蓋４１側の密度Ｄ２が高くなるため、複数の連通口４０から吸音部材４２内に侵入した１ｋＨｚ以上の高周波領域の音を含む騒音が吸音部材４２の内部に拡散しにくくなり、吸音部材４２で効率よく消音しにくくなったものと思われる。
【００５６】
以上より、吸引風路で発生する１ｋＨｚ以上の高周波領域を含む騒音によって使用者に不快感を与えることを十分に防止するためには、吸音部材４２の外蓋３５側の密度Ｄ１及び吸音部材４２の内蓋４１側の密度Ｄ２が条件（１）及び条件（２）を満たすことが好ましい。また、吸引風路で発生する１ｋＨｚ以上の高周波領域を含む騒音によって使用者に不快感を与えることをより十分に防止するためには、吸音部材４２の外蓋３５側の密度Ｄ１及び吸音部材４２の内蓋４１側の密度Ｄ２が条件（３）及び条件（４）を満たすことが好ましい。
【００５７】
条件（３）  ４００≦Ｄ１≦８００
条件（４）  ０．１×Ｄ１≦Ｄ２≦０．６×Ｄ１
以上のように構成された電気掃除機について、以下その動作、作用を説明する。
【００５８】
掃除機本体１にホース４、延長管５、及び、吸込具３を接続した状態で、使用者が電気掃除機１００の運転を開始すると、電動送風機９で吸引風が発生し吸引力が発生する。この状態で、使用者が被清掃面上で吸込具３を動かすと、吸込具３から被清掃面上の塵埃が空気とともに吸引される。吸込具３から吸引された塵埃を含む空気は、吸込具３、延長管５、及び、ホース４によって形成された吸引風路（図示せず）を介して吸入口１ａから掃除機本体１内へと流入する。掃除機本体１内へと流入した塵埃を含む空気は、集塵装置２の内部へと流入する。
【００５９】
このとき、電動送風機９で発生された吸引風が吸込具３から掃除機本体１に至るまでの吸引風路（図示せず）において、延長管５の内壁、吸込具３と延長管５との接続部（図示せず）、及び、延長管５とホース４との接続部（図示せず）と吸引風との摩擦により、１ｋＨｚ以上の高周波領域を含む騒音が発生する場合があり、使用者に不快感を与える場合がある。
【００６０】
本実施の形態においては、吸音部材４２は、吸音部材４２の外蓋３５側の密度が吸音部材４２の内蓋４１側の密度よりも高くなるように、吸音部材４２の密度が内蓋４１側から外蓋３５側に行くにつれて次第に高くなるように形成しているため、内蓋４１に設けた複数の連通口４０から吸音部材４２内に侵入した騒音は、内蓋４１側の密度の低い吸音部材４２内で拡散されるとともに、音圧が減衰される。内蓋４１側の密度の低い吸音部材４２内で消音された騒音は、吸音部材４２内を内蓋４１側から外蓋３５側に向かって進むに連れて、吸音部材４２によって音圧が減衰されていく。そして、外蓋３５側に到達した騒音は、外蓋３５側の密度の高い吸音部材４２内に拡散されるとともに音圧が減衰され、消音される。これにより、吸引風路（図示せず）の一部を構成する第２の管体２５の第２の吸気流路３３内で発生した騒音を吸音部材４２内に効率よく拡散させることができるとともに、吸音部材４２によって効率よく消音することができるため、電気掃除機１００の静音性能を向上させることができ、吸引風路（図示せず）で発生した騒音によって使用者に不快感を与えることを十分に防止することができる。また、上述の構成においては、特に、吸引風路（図示せず）の一部を構成する延長管５の第２の管体２５内で発生した発生した騒音に含まれる１ｋＨｚ以上の高周波領域への消音効果が顕著である。
【００６１】
なお、本実施の形態においては、外蓋３５側の密度が内蓋４１側の密度よりも高くなるように複数の吸音材（図示せず）を重ね合わせて吸音部材４２を形成する構成について説明したが、吸音部材４２は、外蓋３５側の密度が内蓋４１の密度よりも高くなるように形成されていればよく、例えば、外蓋３５側の密度が内蓋４１の密度よりも高くなるように、通気性を有する１つの吸音材（図示せず）によって吸音部材４２を形成してもよい。また、吸音部材４２を密度の異なる複数の吸音材（図示せず）によって構成した場合においては、複数の吸音材（図示せず）同士を重ねあわせただけでもよく、複数の吸音材（図示せず）同士を接着材や熱溶着等により一体に形成してもよい。さらに、吸音部材４２を密度が異なる少なくとも３つの吸音材（図示せず）によって形成した場合においては、内蓋４１側から外蓋３５側に行くにつれて密度が次第に高くなるように形成してもよく、吸音部材４２の内蓋４１側と外蓋３５側との間の密度が吸音部材４２の内蓋４１側の密度よりも低くなるように形成してもよい。
【００６２】
また、本実施の形態においては、第２の管体２５の第２の筒体３４に吸音部材４２を配置した構成について説明したが、吸音部材４２は、第１の管体２４の第１の筒体２７に配置されていてもよく、第１の筒体２７及び第２の筒体３４の両方に配置されていてもよい。これにより、第１の管体２４及び第２の管体２５内を流れる吸引風によって発生した騒音を吸音部材４２で効率よく消音することができるため、吸引風路（図示せず）の一部を構成する延長管５内で発生した騒音を吸音部材４２で効率よく消音することができ、電気掃除機１００の静音性能をさらに向上させることができるとともに、吸引風路（図示せず）で発生した騒音によって使用者に不快感を与えることをより十分に防止することができる。
【００６３】
さらに、本実施の形態においては、第２の筒体３４の下部に、第２の吸気流路３３と連通する開口部３９と、開口部３９を覆うとともに第２の吸気流路３３と連通する複数の連通口４０を有する内蓋４１と、開口部３９及び内蓋４１とを覆う外蓋３５とを設け、この外蓋３５と内蓋４１との間に吸音部材４２を配置する構成について説明したが、第２の吸
気流路３３と連通する複数の連通口４０を第２の筒体３４の下部に直接形成し、この連通口４０を覆うように外蓋３５を配置するとともに、第２の筒体３４に直接形成した複数の連通口４０と外蓋３５との間に吸音部材４２を配置する構成であってもよい。これにより、延長管５の部品点数を削減することができ、延長管５の組み立て性を向上させることができる。
【００６４】
また、本実施の形態においては、第２の筒体３４の下部に、第２の筒体３４の内部に形成された第２の吸気流路３３と連通する開口部３９を第２の筒体３４の長手方向に沿って１つ設け、この開口部３９に内蓋４１を配置する構成について説明したが、開口部３９は第２の筒体３４の内部に形成された第２の吸気流路３３と連通するように設けられていればよく、例えば、開口部３９は、第２の筒体３４の長手方向に沿って複数設けられていてもよい。また、第２の筒体３４の長手方向に沿って開口部３９を複数設けた場合においては、外蓋３５は、複数の開口部３９ごとに形成してもよく、また、複数の開口部３９の全体を覆うように形成されていてもよい。
【００６５】
さらに、本実施の形態においては、第２の筒体３４の下部に、吸音部材４２を配置する構成について説明したが、開口部３９、内蓋４１、及び、外蓋３５を第２の筒体３４の上部に設けるとともに吸音部材４２を外蓋３５と内蓋４１との間に配置し、第２の筒体３４の上部に吸音部材４２を配置する構成であってもよい。
【００６６】
一般的に、使用者が電気掃除機１００を使用している状態において、延長管５内を流れる吸引風は、第１の筒体２７及び第２の筒体３４の内部の上面に沿って流れる。そのため、第２の筒体３４の上部に吸音部材４２を配置した構成とした場合、第２の筒体３４の内部で発生した騒音を吸音部材４２で効率よく消音することができ、延長管５内で発生した騒音を吸音部材４２で効率よく消音することができる。このため、電気掃除機１００の静音性能を向上させることができ、吸引風路（図示せず）で発生した騒音によって使用者に不快感を与えることを十分に防止することができる。
【００６７】
しかしながら、一般に、電動送風機９で発生された吸引風には空気中の湿気などの水分が含まれており、また、被清掃面上の塵埃には空気中の湿気などの水分が含まれている。吸引風及び塵埃に含まれる水分が吸音部材４２に吸収されると、第２の筒体３４の内部に形成された第２の吸気流路３３で発生した騒音の吸音部材４２内への拡散が吸音部材４２に吸収された水分によって妨げられてしまい、第２の吸気流路３３を流れる吸引風によって発生した騒音を吸音部材４２で効率よく消音できない場合がある。また、吸音部材４２に水分が吸収されると、吸収された水分によって吸音部材４２に塵埃が付着しやすくなり、吸音部材４２に付着した塵埃によっても第２の吸気流路３３で発生した騒音の吸音部材４２内への拡散が妨げられてしまい、第２の吸気流路３３を流れる吸引風によって発生した騒音を吸音部材４２で効率よく消音できない場合がある。さらに、延長管５内を流れる塵埃を含む吸引風は、第１の筒体２７及び第２の筒体３４の内部の上面に沿って流れるため、第２の筒体３４の上部に吸音部材４２を配置した場合においては、第２の筒体３４の下部に吸音部材４２を配置した場合に比べ、吸引風及び塵埃中に含まれる水分が吸音部材４２に吸収されやすくなり、吸音部材４２の消音性能を長期間維持できない場合がある。
【００６８】
そのため、吸音部材４２は、第２の筒体３４の上部に配置されていてもよいが、吸音部材４２の消音性能を長期間維持させるという観点からは、第２の筒体３４の下部に配置されていることが好ましい。吸音部材４２を第２の筒体３４の下部に配置することにより、塵埃及び吸引風中に含まれる水分が吸音部材４２に吸収されることを十分に防止することができるため、吸音部材４２の消音性能を長期間維持することができるとともに、第２の筒体３４の内部に形成された第２の吸気流路３３を流れる吸引風によって発生した騒音を吸音部材４２で効率よく消音することができ、電気掃除機１００の静音性能を向上させる
ことができる。
【００６９】
（実施の形態２）
本発明の電気掃除機の実施の形態２について、図８を用いて説明する。なお、上述した実施の形態１と同一構成部品については同一符号を付して、その説明を省略する。
【００７０】
図８は、本発明の電気掃除機の実施の形態２における延長管の長手方向の中心部での全体断面図である。
【００７１】
図８に示すように、本実施の形態においては、吸音部材４２は、内蓋４１側に配置された第１の吸音材４２ａと、外蓋３５側に配置され、第１の吸音材４２ａよりも密度が高い第２の吸音材４２ｂと、第１の吸音材４２ａと第２の吸音材４２ｂとの間に配置され、第１の吸音材４２ａの密度よりも密度が高く、かつ、第２の吸音材４２ｂの密度よりも密度が低い第３の吸音材４２ｃと、から構成されている。そして、第１の吸音材４２ａと第３の吸音材４２ｃとの間、及び、第３の吸音材４２ｃと第２の吸音材４２ｂとの間にはそれぞれ隙間４４が形成されている。また、第１の吸音材４２ａと第３の吸音材４２ｃとの間、及び、第３の吸音材４２ｃと第２の吸音材４２ｂとの間に隙間４４は、外蓋３５のリブ４３に、リブ４３から内側に向かって延設された突部４５を形成し、この突部４５を第１の吸音材４２ａと第３の吸音材４２ｃとの間、及び、第３の吸音材４２ｃと第２の吸音材４２ｂとの間に挟み込むことで形成されている。さらに、隙間４４の幅としては、１〜２ｍｍであることが好ましい。
【００７２】
以上のように構成された電気掃除機について、以下その動作、作用を説明する。
【００７３】
使用者が電気掃除機１００の運転を開始すると、電動送風機９で吸引風が発生し吸引力が発生する。この状態で、使用者が被清掃面上で吸込具３を動かすと、吸込具３から被清掃面上の塵埃が空気とともに吸引される。吸込具３から吸引された塵埃を含む空気は、吸込具３、延長管５、及び、ホース４によって形成された吸引風路（図示せず）と介して吸入口１ａから掃除機本体１内へと流入する。掃除機本体１内へと流入した塵埃を含む空気は、集塵装置２の内部へと流入する。
【００７４】
このとき、電動送風機９で発生された吸引風が吸込具３から掃除機本体１に至るまでの吸引風路（図示せず）において、延長管５の内壁、吸込具３と延長管５との接続部（図示せず）、及び、延長管５とホース４との接続部（図示せず）と吸引風との摩擦により、１ｋＨｚ以上の高周波領域を含む騒音が発生する場合があり、この騒音が使用者に不快感を与える場合がある。
【００７５】
本実施の形態においては、吸音部材４２を、内蓋４１側に配置された第１の吸音材４２ａと、外蓋３５側に配置され、第１の吸音材４２ａよりも密度が高い第２の吸音材４２ｂと、第１の吸音材４２ａと第２の吸音材４２ｂとの間に配置され、第１の吸音材４２ａの密度よりも密度が高く、かつ、第２の吸音材４２ｂの密度よりも密度が低い第３の吸音材４２ｃと、から構成するとともに、第１の吸音材４２ａ、第３の吸音材４２ｃ、及び、第２の吸音材４２ｂの間にそれぞれ隙間４４を設けているため、連通口４０から吸音部材４２内に侵入した騒音は、第１の吸音材４２ａ内で拡散及び消音されたあと、第１の吸音材４２ａと第３の吸音材４２ｃとの間に設けた隙間４４、すなわち、空気層（図示せず）に侵入し、この隙間４４で音圧が減衰され、消音される。第１の吸音材４２ａと第３の吸音材４２ｃとの間に設けた隙間４４で減衰された騒音は、その後、第３の吸音材４２ｃ内に侵入し、第３の吸音材４２ｃ内で拡散及び消音されたあと、第３の吸音材４２ｃ、及び、第２の吸音材４２ｂの間に設けた隙間４４に侵入し、この隙間４４で音圧が減衰され、さらに消音される。そして、第３の吸音材４２ｃ、及び、第２の吸音材４２ｂの間に設けた
隙間４４で減衰された騒音は、第２の吸音材４２ｂ内で拡散及び減衰され、消音される。
【００７６】
これにより、連通口４０から吸音部材４２内に侵入した騒音を、内蓋４１側に配置された第１の吸音材４２ａ側から外蓋３５側に配置された第２の吸音材４２ｂ側にいくにつれて徐々に拡散及び減衰し消音することができるため、吸引風路（図示せず）の一部を構成する第２の管体２５の第２の吸気流路３３内で発生した騒音を吸音部材４２内に効率よく拡散させることができるとともに、吸音部材４２によって効率よく消音することができるため、電気掃除機１００の静音性能を向上させることができ、吸引風路（図示せず）で発生した騒音によって使用者に不快感を与えることを十分に防止することができる。
【００７７】
ここで、本実施の形態においては、リブ４３から内側に向かって延設した突部４５を、第１の吸音材４２ａと第３の吸音材４２ｃとの間、及び、第３の吸音材４２ｃと第２の吸音材４２ｂとの間に挟み込むことで、第１の吸音材４２ａと第３の吸音材４２ｃとの間、及び、第３の吸音材４２ｃと第２の吸音材４２ｂとの間にそれぞれ隙間４４を形成する構成について説明したが、第１の吸音材４２ａと第３の吸音材４２ｃとの間、及び、第３の吸音材４２ｃと第２の吸音材４２ｂとの間に隙間４４を形成する方法としては、内蓋４１に外蓋３５側に向かって伸びる針状の突起（図示せず）を設け、この針状の突起（図示せず）に、第１の吸音材４２ａと第３の吸音材４２ｃとの間、及び、第３の吸音材４２ｃと第２の吸音材４２ｂとの間に隙間４４が形成されるように、第１の吸音材４２ａ、第３の吸音材４２ｃ、及び、第２の吸音材４２ｂを串刺しにして保持させてもよい。また、針状の突起（図示せず）を外蓋３５から内側に向かって延設し、この針状の突起（図示せず）に、第１の吸音材４２ａと第３の吸音材４２ｃとの間、及び、第３の吸音材４２ｃと第２の吸音材４２ｂとの間に隙間４４が形成されるように、第１の吸音材４２ａ、第３の吸音材４２ｃ、及び、第２の吸音材４２ｂを串刺しにして保持させてもよい。
【００７８】
また、本実施の形態においては、第１の吸音材４２ａと第３の吸音材４２ｃとの間、及び、第３の吸音材４２ｃと第２の吸音材４２ｂとの間に隙間４４を形成する構成について説明したが、第１の吸音材４２ａと第３の吸音材４２ｃとの間、及び、第３の吸音材４２ｃと第２の吸音材４２ｂとの間に形成した隙間４４に、第１の吸音材４２ａ、第２の吸音材４２ｂ、及び、第３の吸音材４２ｃとは異なる材質で、かつ、吸音効果を有する部材を配置してもよい。
【産業上の利用可能性】
【００７９】
本発明の電気掃除機は、延長管の内部を流れる吸引風によって発生した騒音を効率よく消音することができ、電気掃除機の静音性能を向上させることができるようになるため、家庭用電気掃除機及び産業用電気掃除機の分野・用途に好適に適用することができる。
【符号の説明】
【００８０】
１  掃除機本体
１ａ  吸入口
２  集塵装置
３  吸込具
４  ホース
５  延長管
６  把手部
７  先端パイプ
８  接続パイプ
９  電動送風機
１０  電動送風機室
１１  集塵装置取付部
１２  車輪
１３  キャスター
１４  本体ハンドル
１５  集塵装置本体
１６  一次フィルター
１７  延出部
１８  二次フィルター
１９  上蓋体
２０  下蓋体
２１  集塵装置ハンドル
２２  除塵手段
２３  駆動手段
２４  第１の管体
２５  第２の管体
２６  第１の吸気流路
２７  第１の筒体
２８  上部カバー体
２８ａ  第１のカバー体
２８ｂ  第２のカバー体
２８ｃ  貫通孔部
２９  下部カバー体
３０  摺動操作部
３０ａ  係合突起部
３１  空間部
３２  挿入口
３３  第２の吸気流路
３４  第２の筒体
３５  外蓋
３５ａ  係合凹部
３６  着脱操作部
３７  摺動支持部
３８  空洞部
３９  開口部
４０  連通口
４１  内蓋
４２  吸音部材
４３  リブ
４４  隙間
１００  電気掃除機
【図２】
2013034592.tif 000004
【図１】
2013034592.tif 000005
【図３】
2013034592.tif 000006
【図４】
2013034592.tif 000007
【図５】
2013034592.tif 000008
【図６】
2013034592.tif 000009
【図７】
2013034592.tif 000010
【図８】
2013034592.tif 000011
【図９】
2013034592.tif 000012